(57)【要約】  本発明は、回転軸（２）の周りを回転可能な支持体（３）と、動作中に振り子質量（５）によって回転不均一とは逆向きの復元トルクが生成されるように、スロット付きガイドトラック（４）に沿って揺動可能に支持体（３）に収容される振り子質量（５）と、相対的に移動可能に振り子質量（５）にもたれかかる接触要素（６）と、接触要素（６）を振り子質量（５）に対して回転軸（２）の軸方向に押圧する波形ばね座金（７ａ、７ｂ）とを備え、波形ばね座金（７ａ、７ｂ）が、見かけ領域（８）において支持体（３）に回転可能に固定され、波形ばね座金（７ａ、７ｂ）の見かけ領域（８）が、支持体に固定された構成要素（９）に接続され、振り子質量（５）に向かって軸方向に突出している、自動車のパワートレイン用の遠心振り子装置（１）に関する。本発明は、さらに、前記遠心振り子装置（１）を備えるクラッチディスク（２０）およびパワートレインに関する。
2021515155.tif 000002
【特許請求の範囲】
【請求項１】
回転軸（２）の周りを回転可能な支持体（３）と、
動作中に回転ぶれを打ち消す復元トルクが生成されるように、スロット付きガイドトラック（４）に沿って揺動する、前記支持体（３）に収容される振り子（５）と、
相対的に移動可能に前記振り子（５）に戴置される接触要素（６）と、
前記接触要素（６）を前記振り子（５）に対して前記回転軸（２）の軸方向に押圧する波形ばね座金（７ａ、７ｂ）と
を有し、
前記波形ばね座金（７ａ、７ｂ）が、固定領域（８）において前記支持体（３）に回転可能に固定されている、自動車のパワートレイン用の遠心振り子装置（１）であって、
前記波形ばね座金（７ａ、７ｂ）の前記固定領域（８）が、前記支持体に固定された構成要素（９）に接続され、前記振り子質量（５）に向かって軸方向に突出していることを特徴とする、遠心振り子装置（１）。
【請求項２】
前記支持体に固定された前記構成要素（９）が、軸方向に離間されるように配置された、前記支持体（３）の２つの支持領域（１０ａ、１０ｂ）を接続するスペーサボルト（１１）によって形成されることを特徴とする、請求項１に記載の遠心振り子装置（１）。
【請求項３】
前記波形ばね座金（７ａ、７ｂ）が、固定領域（８）として、前記支持体に固定された前記構成要素（９）に固定された接続タブ（１２）を直接形成することを特徴とする、請求項１または２に記載の遠心振り子装置（１）。
【請求項４】
前記波形ばね座金（７ａ、７ｂ）が、前記固定領域（８）を形成し且つ前記支持体に固定された前記構成要素（９）に固定された接続要素（１３）を有することを特徴とする、請求項１または２に記載の遠心振り子装置（１）。
【請求項５】
前記固定領域（８）が、受け入れ孔（１４）を備え、前記支持体に固定された前記構成要素（９）が軸方向にこの受け入れ孔（１４）を貫通することを特徴とする、請求項１から４のいずれか一項に記載の遠心振り子装置（１）。
【請求項６】
前記固定領域（８）が、前記波形ばね座金（７ａ、７ｂ）の波状ばね領域（１５）が軸方向に妨げられずに変形可能であるように前記支持体に固定された前記構成要素（９）に接続されることを特徴とする、請求項１から５のいずれか一項に記載の遠心振り子装置（１）。
【請求項７】
前記固定領域（８）が、前記支持体に固定された前記構成要素（９）に材料嵌合方式で接続されることを特徴とする、請求項１から６のいずれか一項に記載の遠心振り子装置（１）。
【請求項８】
前記固定領域（８）が、前記支持体に固定された前記構成要素（９）に嵌合および／または非嵌合方式で接続されることを特徴とする、請求項１から６のいずれか一項に記載の遠心振り子装置（１）。
【請求項９】
請求項１から８のいずれか一項に記載の遠心振り子装置（１）と、前記支持体（３）に回転可能に固定された摩擦要素（２３）とを有する、自動車の摩擦クラッチ用のクラッチディスク（２０）。
【請求項１０】
前記支持体（３）が駆動シャフトに回転可能に固定されている、請求項１から８のいずれか一項に記載の遠心振り子装置（１）を有する自動車用パワートレイン。
【発明の詳細な説明】
【技術分野】
【０００１】
本発明は、回転軸の周りを回転可能な支持体と、（遠心振り子装置の）動作中に振り子質量によって（パワートレインの）回転不均一とは逆向きの復元トルクが生成されるように、スロット付きガイドトラックに沿って揺動可能に支持体に収容される振り子質量と、相対的に移動可能に振り子質量にもたれかかる接触要素と、接触要素を振り子質量に対して回転軸の軸方向に押圧する波形ばね座金（波形座金とも称される）とを有し、波形ばね座金が、固定領域において支持体に回転可能に固定されている、乗用車、トラック、バス、または他の商用車などの自動車のパワートレイン用の遠心振り子装置（短縮形では遠心振り子とも称される）に関する。本発明はまた、それぞれが前記遠心振り子装置を有するクラッチディスクおよびパワートレインに関する。
【背景技術】
【０００２】
一般的な遠心振り子装置は、先行技術から既に周知である。遠心振り子装置の基本構造は、例えば、独国特許出願公開第１０  ２０１３  ２０３  ６９４号明細書に開示されている。さらにまた、独国特許出願公開第１０  ２０１０  ０４９  ５５３号明細書は、回転速度の関数として少なくとも１つの振り子質量の動きを制動する手段を有する遠心振り子装置を開示している。
【０００３】
独国特許出願公開第１０  ２０１４  ２１１  ７１１号明細書は、回転振り子フランジの遠心力場において振り子フランジに吊り下げられた振り子が振り子フランジに対して軸方向に予張力がかけられ、振り子が振り子フランジに激しく衝突するのを防ぐことを開示している。この予張力は、振り子フランジの側部と振り子との間に軸方向に挿入された接触要素によって行われる。
【０００４】
特許出願人はまた、まだ公開されていない内部の先行技術を認識しているが、出願番号第１０  ２０１７  １０４  ９６８．１のもとに２０１７年３月９日の独国特許出願として既に提出されている。波形座金として設計された曲げばねがそこに開示されている。
【０００５】
しかしながら、先行技術から知られている設計の欠点として、対応する接触要素を振り子質量に押圧するために使用されるばね座金は、製造するのが比較的複雑であることが分かっている。これは、特に、ばね座金が支持体に比較的複雑に取り付けられているという事実に起因する。ばね座金に対する支持形状は、その製造に必要な製造工具が比較的複雑であり、したがって比較的故障しやすいように実装されている。
【発明の概要】
【発明が解決しようとする課題】
【０００６】
したがって、本発明の目的は、先行技術から知られている欠点を排除し、遠心振り子装置の製造労力を削減することである。
【課題を解決するための手段】
【０００７】
これは、本発明によれば、ばね座金が、固定領域において、支持体に固定された構成要素に接続され、振り子質量に向かって軸方向に突出している／突き出しているという点で達成される。
【０００８】
これは、以前は製造が比較的複雑であった波形ばね座金を、回転可能に固定される方法で支持体にはるかに簡単な方法で取り付けることを可能にする。ばね座金は、以前は波ばね座金の製造を大幅に困難にしていた軸方向に突出する追加のタブを備える必要がない。ばね座金は、特に簡単な方法で支持体に固定される構成要素に簡単に取り付けられる。
【０００９】
さらなる有利な実施形態は、従属請求項とともに特許請求され、以下により詳細に説明される。
【００１０】
したがって、支持体に固定される構成要素が、軸方向に互いに離間した、支持体の２つの支持領域を接続するスペーサボルトによって形成される場合も有利である。その結果、支持体上にいずれにせよ設けられる構成要素は、波ばね座金を受け入れるために使用される。これは、製造労力をさらに削減する。
【００１１】
ばね座金が、支持体に固定された固定領域として構成要素に取り付けられた接続タブ（好ましくは、半径方向外向きに突出する）の形態を直ちに形成／とる場合、構成要素の数はさらに削減される。
【００１２】
また、ばね座金が、固定領域を形成し且つ支持体に固定される構成要素に固定される（別個の）接続要素を代替的に有する場合も有利である。その結果、支持体に固定される構成要素に接続される波形ばね座金の領域は、簡単に製造されることになる。
【００１３】
これに関連して、接続要素は、ばね座金のリング部分に固定されることが好ましい。
【００１４】
ばね座金の固定領域が、断面で見た円形貫通孔、または好ましくはノッチの形態で半径方向外向きに開放した（貫通）孔などの受け入れ孔を備えており、支持体に固定された構成要素がこの受け入れ孔を軸方向に貫通する場合も有利である。その結果、固定領域は、円周方向において、支持体に固定される構成要素に単純に嵌合方式で接続される。
【００１５】
ばね座金の固定領域が、好ましくは円周方向において固定領域に隣接しているばね座金の波状／曲がったばね領域が支障のない軸方向に変形されることができるように、支持体に固定された構成要素に接続されている場合、ばね座金のばね移動、およびばね座金によって加えられる軸方向の力は、動作中にほとんど影響を受けないままである。
【００１６】
支持体に固定された構成要素への固定領域の取り付けに関して、固定領域が、好ましくは接着剤、溶接またははんだ接続を介して、支持体に固定された構成要素に材料嵌合方式で接続されている場合も有利である。
【００１７】
あるいは、固定領域が、支持体に固定された構成要素に嵌合および／または非嵌合方式で接続されている場合に好都合である。これは、さらに、組み立て時間を削減する。
【００１８】
ばね座金は、好ましくは、常にその回転軸を中心とし且つ回転しないように固定されている遠心振り子／支持体に嵌合している。
【００１９】
さらにまた、本発明は、上述した実施形態のうちの少なくとも１つにかかる本発明による遠心振り子装置を有し且つ支持体に回転可能に固定された摩擦要素を有する、自動車の摩擦クラッチ用のクラッチディスクに関する。
【００２０】
さらに、本発明は、支持体が内燃機関の出力シャフトまたはトランスミッション入力シャフトなどの駆動シャフトに回転可能に固定されている、上述した実施形態のうちの少なくとも１つにかかる本発明にかかる遠心振り子装置を有する自動車用のパワートレインに関する。次に、遠心振り子装置は、摩擦クラッチのクラッチディスクの構成要素であるか、またはクラッチディスク／摩擦クラッチの外側に配置される。
【００２１】
換言すれば、本発明によれば、遠心振り子のスペーサボルトに波形座金（ばね座金）が接続される遠心振り子を有するクラッチディスクが実装される。遠心力振り子が、クラッチディスクに固定されるかまたはクラッチの取り付け空間内で軸方向に配置され、および／またはトランスミッション入力シャフトを介してクラッチディスクに回転可能に固定される、クラッチディスクおよび遠心振り子のアセンブリが好ましく提案される。波形座金は、２つの振り子フランジ（支持体の支持領域）を接続するスペーサボルトに接続され、振り子質量は、振り子フランジ間の軸方向に配置され、スペーサボルトに嵌合または接続されて、波形座金がずれたりねじれたりするのを防止する。
【００２２】
ここで、本発明を、文脈において様々な例示的な実施形態も示されている図面を参照してより詳細に説明する。
【図面の簡単な説明】
【００２３】
【図１】好ましい例示的な実施形態にかかる本発明にかかる遠心振り子装置の縦断面図を示しており、いくつかの振り子質量と遠心振り子装置の支持体との間に軸方向に挿入された２つのばね座金の配置を見ることができる。
【図２】ばね座金と支持体のスペーサボルトとの間の固定を示す、図１にかかる遠心振り子装置の詳細領域における縦断面図を示している。
【図３】図１にかかる遠心振り子装置のさらなる縦断面図を示しており、振り子質量に接続された接触要素の部分にばね座金の支持体を見ることができる。
【図４】クラッチディスクを有する図１から図３にかかる遠心振り子装置の縦断面図を示しており、遠心振り子装置は、軸方向側に見ることができる。
【図５】図４にかかるクラッチディスクの側面図を示している。
【図６】図１から図３の遠心振り子装置において使用されるばね座金の平面図を示しており、ばね座金の固定領域に接続されたスペーサボルトが概略的に示されている。
【図７】図６にかかるばね座金の斜視図を示しており、固定領域の間で周方向に形成されたばね座金の複数の波形ばね領域を見ることができる。
【図８】第２の例示的な実施形態における本発明にかかる遠心振り子装置において使用されるようなばね座金の平面図を示しており、ばね座金は、第１の例示的なばね座金と比較して半径方向外向きに開放した受け入れ孔を有しないが、スペーサボルトを受け入れるための円形受け入れ孔を有する。
【図９】第３の例示的な実施形態における本発明にかかる遠心振り子装置において使用されるようなばね座金の平面図を示しており、受け入れボルトが受け入れ孔にリベット留めされている。
【図１０】スペーサボルトが受け入れ孔の領域の固定領域に溶接されている、第４の例示的な実施形態における本発明にかかる遠心振り子装置において使用されるようなばね座金の平面図を示している。
【図１１】第５の例示的な実施形態における本発明にかかる遠心振り子装置において使用されるようなばね座金の平面図を示しており、各スペーサボルトに溶接された受け入れ孔は、図１０と比較して半径方向外向きに開放している。
【図１２】第６の例示的な実施形態における本発明にかかる遠心振り子装置において使用されるようなばね座金の平面図を示しており、ばね座金の固定領域は、ばね座金のリング部分に固定されたスペーサボルトに接続される接続要素を有する。
【図１３】第７の例示的な実施形態における本発明にかかる遠心振り子装置において使用されるようなばね座金の平面図を示しており、接続要素に形成された受け入れ孔は、図１２の例示的な実施形態と比較して半径方向外向きに開放している。
【図１４】第８の例示的な実施形態における本発明にかかる遠心振り子装置において使用されるようなばね座金の平面図を示しており、接続要素は、ピン部分を介して嵌合方式でリング部分に取り付けられている。
【図１５】第９の例示的な実施形態における本発明にかかる遠心振り子装置において使用されるようなばね座金の平面図を示しており、接続要素に形成された受け入れ孔は、図１４の例示的な実施形態と比較して半径方向外向きに開放している。
【図１６】第１０の例示的な実施形態における本発明にかかる遠心振り子装置において使用されるようなばね座金の平面図を示しており、接続要素は、その一次成形プロセス中にリング部分の周りにすぐに噴霧されている。
【図１７】第１１の例示的な実施形態における本発明にかかる遠心振り子装置において使用されるようなばね座金の平面図を示しており、図１３と比較して円形の受け入れ孔が各接続要素に形成される。
【発明を実施するための形態】
【００２４】
図は、本質的に単なる概略図であり、本発明を理解するためにのみ役立つ。同じ要素には、同じ参照符号が付与されている。様々な例示的な実施形態の異なる特徴もまた、互いに自由に組み合わせることができる。
【００２５】
図１から図３において、本発明にかかる遠心振り子装置１の基本構造が、第１の例示的な実施形態にしたがって示されている。遠心振り子装置１は、好ましくは、摩擦クラッチの形態で図４および図５に示されるクラッチのクラッチディスク２０の一部である。遠心振り子装置１は、クラッチディスク２０のハブ２４に回転可能に固定されている。ハブ２４はまた、クラッチディスク２０の摩擦要素２３に回転可能に固定されている。さらなる実施形態によれば、遠心振り子装置１はまた、クラッチディスク２０のフランジ／フランジ領域に回転可能に固定されることができる。明確化のためにこれ以上図示されていないクラッチは、通常、自動車のパワートレイン、すなわち、内燃機関の出力シャフトとトランスミッションの入力シャフトとの間に使用される。したがって、遠心振り子装置１は、動作中の自動車のパワートレインの一部である。あるいは、さらなる実施形態によれば、遠心振り子装置１はまた、内燃機関の出力シャフトまたはトランスミッション入力シャフトなどのパワートレインの駆動シャフトに回転可能に直接固定されている。その動作において、遠心振り子装置１は、典型的には、パワートレイン、特に内燃機関において生じる回転不均一を補償するように機能する。この目的のために、遠心振り子装置１は、独国特許出願公開第１０  ２０１４  ２１１  ７１１号明細書から知られている基本構造を有する。
【００２６】
図１によれば、遠心振り子装置１は、振り子フランジ／支持フランジとも称される支持体３を有する。支持体３は、軸方向に互いに離間している２つの支持領域１０ａ、１０ｂから構成される。２つの支持領域１０ａおよび１０ｂは、それぞれ、振り子フランジ／フランジ領域と称される。各支持領域１０ａおよび１０ｂは、本質的にディスク形状である。支持体３は、回転軸２の周りに回転可能に配置される。動作中、回転軸２は、好ましくは、内燃機関の出力シャフト／トランスミッション入力シャフトと同軸に配置される。２つの支持領域１０ａおよび１０ｂは、スペーサボルト１１によって互いに回転可能に固定されている。スペーサボルト１１はまた、２つの支持領域１０ａおよび１０ｂの互いに対する（回転軸２に沿った）軸方向距離を画定する。この目的のために、各支持領域１０ａ、１０ｂは、スペーサボルト１１（図２）の２つの軸方向に面する段１８ａ、１８ｂのうちの１つに間接的に支持される。複数のスペーサボルト１１が、（回転軸２に対して）支持体３の円周方向に分散して配置されている。スペーサボルト１１は、各支持領域１０ａ、１０ｂにリベット留めされている、すなわち、支持領域１０ａ、１０ｂに嵌合および非嵌合方式で接続されている。
【００２７】
支持領域１０ａ、１０ｂによって形成される支持体３の（軸方向）内部空間１６には、それらが支持体３に対して移動／振動されることができるように円周方向に分散した複数の振り子質量５が配置される。図４にかかる図は、遠心振り子装置１の前面を明らかにし、各振り子質量５は、それぞれが支持体３のスロット付きガイドトラック４に突出する２つのガイドピン１７を有する。振り子質量５の各ガイドピン１７について、第１の支持領域１０ａおよび第２の支持領域１０ｂは、双方とも、（第２の支持領域１０ｂについて図４に示される）スロット付きガイドトラック４を有する。ガイドピン１７に割り当てられた２つの支持領域１０ａ、１０ｂのスロット付きガイドトラック４は、それぞれ、このガイドピン１７のためのガイドスライドを形成する。円周方向から見た場合、スロット付きガイドトラック４は、屈曲して（すなわち、円周方向および半径方向の双方に）延びる。特に、スロット付きガイドトラック４は、それぞれ、円周方向にＵ字形に延びる。したがって、振り子質量５は、回転不均一が発生すると通常の方法で振り子運動を実行し、この振り子運動は、回転不均一と反対の復元トルクを発生させる。
【００２８】
図３は、接触要素６が各振り子質量５に対してもたれることを示しており、接触要素６は、２つの波形ばね座金７ａ、７ｂによって軸方向に振り子質量５に対して押圧されている。接触要素６は、各振り子質量５上で（回転軸２に対して）内側から半径方向に配置される。断面で見ると、接触要素６は、本質的にＵ字形である。このようにして円周方向に延在するチャネル構造を形成する接触要素６は、半径方向外側に開放しており、半径方向内側から各振り子質量５に取り付けられている。したがって、接触要素６は、内部から半径方向に振り子質量５上にあり、軸方向に面する側において同時に振り子質量５上に支持される。接触要素６は、プラスチックから構成されている。接触要素６は、振り子質量５に対して円周方向に変位されることができるように振り子質量５上に収容される。
【００２９】
第１のばね座金７ａは、第１の支持領域１０ａと振り子質量５／接触要素６の第１の軸側との間において振り子質量５の第１の軸側に向かって軸方向に配置される。第２のばね座金７ｂは、第２の支持領域１０ｂと振り子質量５／接触要素６の第２の軸側との間において振り子質量５の第２の軸側に向かって軸方向に配置される。各ばね座金７ａ、７ｂは、振り子質量５に対して接触要素６を押圧するか、または振り子質量５に接触して支持体３に対して接触要素６に予張力をかけるように機能する。２つのばね座金７ａ、７ｂは、（鏡面に関して回転軸２に対して垂直に向けられた）接触要素６の部分におけるその配置および支持において鏡面対称であるため、簡潔にするために、第１のばね座金７ａのみが以下に説明される。したがって、各振り子質量５と支持体３との間に作用して、支持体３に対する振り子質量５の運動（振り子運動）を抑制／減衰する摩擦装置が接触要素６とばね座金７ａ、７ｂとによって提供される。
【００３０】
第１のばね座金７ａは、円周方向に分散した複数の波形ばね領域１５によって軸方向において接触要素６に支持されている。波形ばね座金７ａの斜視図における図７に見られるように、第１のばね座金７ａは、同様にばね領域１５を直接形成する（リング状円周）リング部分１９を有する。第１のばね座金７ａは、円周方向に見たときに３つのばね領域１５を有する。各ばね領域１５は、軸方向に波状であり、すなわち、軸方向に突出するシャフトを形成する。各ばね領域１５は、外径におけるその波高が内径における波高よりも高くなるように波状でさえある。したがって、各ばね領域１５は、その半径方向内側よりも軸方向に見たときにその半径方向外側においてより軸方向に延びる。
【００３１】
各ばね領域１５は、振り子質量５の周辺領域において接触要素６に支持されている。第１のばね座金７ａの固定領域８は、それぞれの２つの隣接するばね領域１５の間の円周方向に設けられ、この固定領域８は、スペーサボルト１１の形態で支持体に固定された構成要素９にしっかりと接続される。第１のばね座金７ａの固定領域８は、第１の支持領域１０ａ上で軸方向に支持されており、第２のばね座金７ｂの固定領域８は、第２の支持領域１０ｂ上で軸方向に支持されている。換言すれば、第１のばね座金７ａの各固定領域８は、閉鎖リング（リング部分１９）を越えて半径方向に突出する要素／領域（接続タブ１２）を有するスペーサボルト１１に接続される。第２のばね座金７ｂの各固定領域８はまた、閉鎖リング（リング部分１９）を越えて半径方向に突出する要素／領域（接続タブ１２）を有するスペーサボルト１１に接続される。ばね領域１５は、固定領域８とともに、各ばね座金７ａ、７ｂのリング部分１９を形成する。
【００３２】
図６からも分かるように、３つの固定領域８は、それぞれ、ばね領域１５に対して本質的に平坦／平面／非波状に形成される。第１のばね座金７ａは、接触要素６を特定の軸方向の力によって押圧し、これにより、振り子質量５に対して特定の軸方向の力によって押圧するように、支持体３と接触要素６との間で軸方向にクランプされる。その結果、振り子質量５が接触要素６に対して移動するときに、動作中に目標とする摩擦が発生する。
【００３３】
図１から図７にかかる第１の例示的な実施形態では、固定領域８は、いずれの場合も、ばね領域１５から半径方向に突出するリング部分１９の接続タブ１２によって直接形成される。ここで、各接続タブ１２は、第１のばね座金７ａの厚領域を形成することが分かる。接続タブ１２は、円周方向に見たときに、連続的に／段階的にばね領域１５に合流する。これは、動作中のノッチ効果を減少する。
【００３４】
接続タブ１２には受け入れ孔１４が導入される。この受け入れ孔１４は、軸方向に見て固定領域８を貫通する。受け入れ孔１４は、第１の例示的な実施形態では、半径方向外向きに開放したノッチ／凹部の形態で形成されている。したがって、受け入れ孔１４は、半円形断面を有する。各固定領域８は、その受け入れ孔１４によって、内側からスペーサボルト１１まで半径方向に簡単な方法で吊り下げられ、円周方向に作用する嵌合方式で接続の形成が行われる。
【００３５】
図８から図１７に関連して、本発明にかかる遠心振り子装置１の様々な例示的な実施形態が以下に示され、これは、ばね座金７ａ、７ｂおよび／またはスペーサボルト１１に対するばね座金７ａ、７ｂの固定の図示された実施形態のみが互いに異なる。これらのさらなる例示的な実施形態の残りの構造および機能は、第１の例示的な実施形態に対応する。
【００３６】
図８にかかる第２の例示的な実施形態によれば、ばね座金７ａ、７ｂの各固定領域８には、円形断面を有する受け入れ孔１４が形成されている。したがって、各受け入れ孔１４は、完全に円周方向の孔支持領域によって形成される。受け入れ孔１４は、次に、貫通孔を形成する。この実施形態においても、接続タブ１２／固定領域８は、スペーサボルト１１上に軸方向に押圧され、したがって、円周方向に嵌合方式で固定される。
【００３７】
図９にかかる例示的な実施形態から、純粋に嵌合方式での接続の代わりに、原則として、支持体３に対してばね座金７ａ、７ｂを固定するための非嵌合および嵌合方式での接続もまた実現され得ることが分かる。この実施形態では、スペーサボルト１１は、固定領域８にリベット留めされる。したがって、ばね座金７ａ、７ｂは、スペーサボルト１１に強固にクランプ／固定される。
【００３８】
２つのさらなる例示的な実施形態が、図１０および図１１に関連して示されている。このことから、嵌合および／または非嵌合方式での接続の代わりに、スペーサボルト１１と固定領域８との間の材料嵌合方式での接続もまた提供され得ることが分かる。
【００３９】
図１０では、接続タブ１２は、その完全に円周方向の孔支持領域が受け入れ孔１４を取り囲んでスペーサボルト１１に溶接されている。スペーサボルト１１を有する固定領域８を接続する溶接シームは、円周方向において完全に周回する。
【００４０】
図１１において、ばね座金７ａ、７ｂは、第１の例示的な実施形態のばね座金７ａ、７ｂと同一であるが、ここでは、図１０と同様に、スペーサボルト１１に材料嵌合方式で接続されている。したがって、半径方向外向きに開放している受け入れ孔１４は、Ｕ字形の溶接シームによってスペーサボルト１１に接続されている。
【００４１】
図１２から図１７の例示的な実施形態に関連して、ばね座金７ａ、７ｂの固定領域８もまた、いくつかの部分で実装され得ることが分かる。各固定領域８は、リング部分１９の周辺領域に加えて、リング部分１９に接続される別個に成形された接続要素１３を有する。各固定領域８について、接続要素１３は、回転可能に固定された方式で（２つの隣接するばね領域１５の間の円周方向の円周領域において）リング部分１９に取り付けられる。接続要素１３は、スペーサボルト１１が挿入される受け入れ孔１４を有する。
【００４２】
図１２では、接続要素１３は、本質的にキャップ形状である。ばね座金７ａ、７ｂは、２つの隣接するばね領域１５の間の円周方向において、半径方向外向きに突出するラグ２１／舌部をそのリング部分１９上に形成する。接続要素１３は、このラグ２１上に半径方向外側から押圧され、ラグ２１上に吊り下げ／固定される。接続要素１３は、完全な孔支持領域を有する受け入れ孔１４を有する。
【００４３】
図１３では、受け入れ孔１４は、図１２と比較して、第１の例示的な実施形態でも実現されるように、半径方向外向きに開放している凹部／ノッチとして設計されている。既に図１２にあるように、各スペーサボルト１１もまた、図１３の接続要素１３に嵌合方式で固定される。原則として、他の実施形態では、材料嵌合方式（好ましくは、接着剤）または非嵌合および／または嵌合方式での他の接続も実装されることに留意されたい。
【００４４】
図１４および図１５においては、接続要素１３もまた、リング部分１９の一部に嵌合方式で固定される。軸方向の貫通孔がリング部分１９に形成され、その中に接続要素１３の相補的なスパイク２２（ピンとも称される）が係合／挿入される。図１４および図１５にかかる２つの例示的な実施形態は、図１２および図１３の例示的な実施形態と同様に、その受け入れ孔１４の設計において互いに異なる。
【００４５】
図１６では、接続要素１３は、非嵌合および嵌合方式で固定領域８に取り付けられている。接続要素１３は、その元の成形プロセスにおいてリング部分１９上に直接射出成形される。接続要素１３は、プラスチック（あるいはさらなる実施形態では金属でもある）から構成され、したがって、好ましくは、硬化状態でリング部分１９と非嵌合および嵌合方式での接続を形成するように、リング部分１９上に直接射出成形される。
【００４６】
図１６および図１７にかかる２つの例示的な実施形態は、図１２および図１３の例示的な実施形態と同様に、その受け入れ孔１４の設計において互いに異なる。
【００４７】
換言すれば、本発明にかかる設計は、遠心振り子１における波形座金（ばね座金７ａ、７ｂ）の特に巧妙な取り付け、センタリング、および回転防止を提供する。遠心振り子装置１用の波形座金７ａ、７ｂは、支持体３に対する振り子質量５の運動が運動の方向に対して一定の摩擦力を生み出すように、支持体３から、好ましくはプラスチックから構成されて振り子質量５を適所にまたは完全に包む摩擦要素または接触要素６に力を加える。波形座金７ａ、７ｂは、リング形状であり且つ閉じている。波形座金７ａ、７ｂは、円周上に均一に分散した３つの波形（ばね領域１５）を有する。それはまた波高も有し、外径における波高は、内径における波高よりも高い。さらにまた、波形座金７ａ、７ｂは、遠心振り子１のスペーサボルト１１または他の軸方向に突出する要素に嵌合されることができ、且つ位置決め、センタリング、および動力伝達のために使用されることができる、閉鎖リング（リング部分１９）を越えて半径方向に突出する要素（接続タブ１２または接続要素１３）を有する。閉鎖リング１９を超えて半径方向に突出する要素１２、１３は、貫通孔または外径に開口する貫通孔の形態の受け入れ孔１４を有し、スペーサボルト１１に吊り下げられる。閉鎖リングを越えて突出する要素１２、１３は、ばねの移動にも、加えられる軸方向の力にも影響を与えず、閉鎖リング１９への要素１２、１３の移行は、応力ピークを低減するように設計されている。閉鎖リング１９を越えて半径方向に突出する要素１２、１３は、さらに好ましくは、接着剤、溶接、またははんだ付け処理によって遠心振り子１における要素（支持体に固定される構成要素９）に材料嵌合方式で接続されている。閉鎖リング１９を越えて半径方向に突出する要素１２、１３は、リベット接続によって遠心振り子１における要素９に接続されることが特に好ましい。より好ましくは、閉鎖リング１９を越えて半径方向に突出する要素は、プラスチックまたは金属材料から構成された追加の要素（接続要素１３）に嵌合、非嵌合、または材料嵌合方式で接続され、これは、ひいては嵌合、非嵌合、または材料嵌合接続によって、遠心振り子１における要素９に接続されている。
【００４８】
図１から図１１の実施形態によれば、波形座金７ａ、７ｂは、各スペーサボルト１１に直接取り付けられる。これは、嵌合を介して行うのが好ましい：波形座金７ａ、７ｂは、波形座金７ａ、７ｂの最高点が摩擦スリーブ（接触要素６）に当接し、最低点がフランジ３上に支持されるように、フランジ（支持体３）と摩擦要素６との間に配置されている。位置決めおよび動力伝達のために、波形座金７ａ、７ｂは、図６および図８から分かるように、隣接するスペーサボルト１１上に吊り下げられたいわゆる取り付けノッチまたは取り付け孔（受け入れ孔１４）を有する。嵌合の代わりとして、リベット留めがさらに好ましい。波形座金７ａ、７ｂは、波形座金７ａ、７ｂの最高点が摩擦スリーブ６に当接し、最低点がフランジ３上に支持されるように、フランジ３と摩擦要素６との間に配置されている。位置決めおよび動力伝達のために、波形座金７ａ、７ｂは、図９から分かるように、隣接するスペーサボルト１１上に吊り下げられた取り付け孔１４を有する。波形座金７ａ、７ｂは、この孔１４を介してスペーサボルト１１にリベット留めされ、スペーサボルト１１がリベットの機能を引き継ぐ。嵌合およびリベット留めの代わりとして、材料嵌合方式の接続がさらに好ましい。波形座金７ａ、７ｂは、波形座金７ａ、７ｂの最高点が摩擦スリーブ６に当接し、最低点がフランジ３上に支持されるように、フランジ３と摩擦要素６との間に配置されている。位置決めおよび動力伝達のために、波形座金７ａ、７ｂは、図１０および図１１に示されるように、隣接するスペーサボルト１１上に吊り下げられた取り付けノッチまたは取り付け孔（受け入れ孔１４）を有する。波形座金７ａ、７ｂは、このノッチまたは孔１４を介してスペーサボルト１１に接着、溶接、またははんだ付けされ、接続は、材料嵌合方式で行われる。
【００４９】
図１２から図１７の説明によれば、波形座金７ａ、７ｂと各スペーサボルト１１との間に追加の要素１３が設けられている。固定は、嵌合を介して行うのが好ましい：波形座金７ａ、７ｂは、波形座金７ａ、７ｂの最高点が摩擦スリーブ６に当接し、最低点がフランジ３上に支持されるように、フランジ３と摩擦要素６との間に配置されている。位置決めおよび動力伝達のために、波形座金７ａ、７ｂは、外径に舌状の要素（ラグ２１）を有し、これは、ひいては図１２および図１３に示されるように、取り付けノッチまたは取り付け孔１４によって隣接するスペーサボルト１１に吊り下げられることで実現される追加の要素１３に係合する。あるいは、波形座金７ａ、７ｂは、位置決めおよび動力伝達のために、追加の要素１３のピン状要素２２が係合するその閉鎖リング１９に貫通孔を有する。これは、図１４および図１５において実現されるように、取り付けノッチまたは取り付け孔１４によって隣接するスペーサボルト上に吊り下げられる。あるいは、波形座金７ａ、７ｂは、プラスチックから構成された追加の要素１３を有して押出被覆され、それにより、嵌合方式で接続を形成する。図１６および図１７において実現されるように、追加の要素１３は、次に、取り付けノッチまたは取り付け孔１４によって隣接するスペーサボルト１１に吊り下げられる。
【００５０】
図１２から図１７に関連して記載した実施形態はまた、接着剤の形態の材料嵌合によって、または追加的に塗布された接着剤を有する材料嵌合によって実現され得る。
【符号の説明】
【００５１】
１  遠心振り子装置
２  回転軸
３  支持体
４  スロット付きガイドトラック
５  振り子質量
６  接触要素
７ａ  第１のばね座金
７ｂ  第２のばね座金
８  固定領域
９  支持体に固定される構成要素
１０ａ  第１の支持領域
１０ｂ  第２の支持領域
１１  スペーサボルト
１２  接続タブ
１３  接続要素
１４  受け入れ孔
１５  ばね領域
１６  内部
１７  ガイドピン
１８ａ  第１の段
１８ｂ  第２の段
１９  リング部分
２０  クラッチディスク
２１  ラグ
２２  ピン
２３  摩擦要素
２４  ハブ
【図１】
2021515155.tif 000003
【図２】
2021515155.tif 000004
【図３】
2021515155.tif 000005
【図４】
2021515155.tif 000006
【図５】
2021515155.tif 000007
【図６】
2021515155.tif 000008
【図７】
2021515155.tif 000009
【図８】
2021515155.tif 000010
【図９】
2021515155.tif 000011
【図１０】
2021515155.tif 000012
【図１１】
2021515155.tif 000013
【図１２】
2021515155.tif 000014
【図１３】
2021515155.tif 000015
【図１４】
2021515155.tif 000016
【図１５】
2021515155.tif 000017
【図１６】
2021515155.tif 000018
【図１７】
2021515155.tif 000019
【国際調査報告】
2021515155.tif 000020
2021515155.tif 000021
2021515155.tif 000022
2021515155.tif 000023